【手続補正書】
【提出日】平成19年1月5日(2007.1.5)
【手続補正１】
【補正対象書類名】特許請求の範囲
【補正対象項目名】全文
【補正方法】変更
【補正の内容】
【特許請求の範囲】
【請求項１】
送信されるべき変調されたＲＦ信号(x(t))の出力電力(Px(t))を制御する際に、送信されるべき複素ベースバンド入力信号（xLP(t)）を複素ベースバンドから所望のＲＦバンドへアップコンバートするために利用される直交送信器（２００ｂ）のＩ／Ｑ変調器回路（２０６、２０８、２１０、２１２、２１４）が備えるＲＦ電力増幅ステージ（２０６）における自己消費電力損失を減少させるための方法であって、
前記複素アナログ・ベースバンド入力信号（xLP(t)）の同相及び直交のベースバンド成分（i(t)及びq(t)）で与えられる直交信号表現を、前記複素ベースバンド入力信号（xLP(t)）のマグニチュード（｜xLP(t)｜）と、位相（∠xLP(t)）とで与えられる極座標信号表現に変換する工程と、
前記複素ベースバンド入力信号（xLP(t)）の前記マグニチュード（｜xLP(t)｜）を表す前記信号の狭帯域の高レベル成分（２２２）と、広帯域の低レベル成分（２２４）とを、独立のステージ（２０４、２０６）において増幅し、前記狭帯域の高レベルマグニチュード成分（２２２）を、前記広帯域の低レベルマグニチュード成分（２２４）の電力レベルを安定化させるために利用する工程と、
送信されるべき変調されたＲＦ出力信号(x(t))を生成するために、前記極座標信号表現において、前記複素アナログ・ベースバンド入力信号（xLP(t)）のＩ／Ｑ変調を実行する工程と
を備えることを特徴とする方法。
【請求項２】
前記複素ベースバンド入力信号（xLP(t)）の前記広帯域の低レベルマグニチュード成分（２２４）の前記電力レベルを安定化させるために利用される制御信号を、差動増幅器（２０２）が供給するエラー信号によりＤＣ電力供給電圧（Vbat）を調整することにより生成する工程を更に備え、
前記エラー信号は、前記差分増幅器（２０２）の非反転入力ポートに与えられる、前記複素ベースバンド入力信号（xLP(t)）の前記狭帯域の高レベルマグニチュード成分（２２２）と、送信されるべき変調されたＲＦ信号(x(t))の反射波の出力電力レベルを表す、前記差動増幅器（２０２）の反転入力ポートに与えられる信号との、増幅された差分信号として取得されることを特徴とする請求項１に記載の方法。
【請求項３】
前記複素ベースバンド入力信号（xLP(t)）の前記広帯域の低レベル成分（２２４）を、前記制御信号に基づいて利得が制御される可変利得電力増幅器（２０６）の入力ポートに供給する工程を更に備えることを特徴とする請求項２に記載の方法。
【請求項４】
前記複素ベースバンド入力信号（xLP(t)）の前記位相情報（∠xLP(t)）で変調された位相変調された正弦波搬送信号（xP(t)）を、前記可変利得電力増幅器（２０６）の前記出力信号（xMC(t)）を前記位相変調された搬送信号（xP(t)）が供給される少なくとも一つの更なる可変利得電力増幅器（２１２）の利得制御ポートに供給することにより、該出力信号（xMC(t)）で振幅変調する工程を更に備えることを特徴とする請求項３に記載の方法。
【請求項５】
前記可変利得電力増幅器（２０６）の前記出力信号（xMC(t)）は、直列に接続された可変利得電力増幅器（２１２、２１４）のカスケードの利得要素を制御し、
前記直列に接続された可変利得電力増幅器（２１２、２１４）の前記カスケードの最も上流の可変利得電力増幅器（２１２）には、前記複素ベースバンド入力信号（xLP(t)）の前記位相情報（∠xLP(t)）を搬送する位相変調された正弦波搬送信号（xP(t)）が供給される
ことを特徴とする請求項１乃至４のいずれか１項に記載の方法。
【請求項６】
前記直列に接続された可変利得電力増幅器（２１２、２１４）の前記カスケードの少なくとも一つの可変利得電力増幅器（２１４）が選択的にバイパス可能であることを特徴とする請求項５に記載の方法。
【請求項７】
バイパスされた前記電力増幅器（２１４）の前記利得制御信号（xMC(t)）が、選択的に遮断可能であることを特徴とする請求項６に記載の方法。
【請求項８】
前記直列に接続された可変利得電力増幅器（２１２、２１４）の前記カスケードの少なくとも一つの可変利得電力増幅器（２１２）の前記利得制御信号（xMC(t)）を、選択的に弱める（Ｒ、Ｓ１）ことが可能であることを特徴とする請求項５乃至７のいずれか１項に記載の方法。
【請求項９】
前記複素ベースバンド入力信号（xLP(t)）の前記狭帯域の高レベルマグニチュード成分（２２２）は、ベースバンドブロックから前記差動増幅器（２０２）の前記非反転入力ポートに供給されるランプ信号（２２６）によって表されることを特徴とする請求項２乃至８のいずれか１項に記載の方法。
【請求項１０】
送信されるべき変調されたＲＦ信号(x(t))の出力電力(Px(t))を制御する際に、送信されるべき複素ベースバンド入力信号（xLP(t)）を複素ベースバンドから所望のＲＦバンドへアップコンバートするために利用される直交送信器（２００ｂ）のＩ／Ｑ変調器回路（２０６、２０８、２１０、２１２、２１４）が備えるＲＦ電力増幅ステージ（２０６）における自己消費電力損失を減少させるための方法であって、
前記複素アナログ・ベースバンド入力信号（xLP(t)）の同相及び直交のベースバンド成分（i(t)及びq(t)）で与えられる直交信号表現を、前記複素ベースバンド入力信号（xLP(t)）のマグニチュード（｜xLP(t)｜）と、位相（∠xLP(t)）とで与えられる極座標信号表現に変換する工程と、
前記複素ベースバンド入力信号（xLP(t)）の前記マグニチュード（｜xLP(t)｜）を表す前記信号の狭帯域の高レベル成分（２２２）と、広帯域の低レベル成分（２２４）とを、独立のステージ（２０４、２０６）において増幅し、前記狭帯域の高レベルマグニチュード成分（２２２）を、前記広帯域の低レベルマグニチュード成分（２２４）の電力レベルを安定化させるために利用する工程と、
送信されるべき変調されたＲＦ出力信号(x(t))を生成するために、前記極座標信号表現において、前記複素アナログ・ベースバンド入力信号（xLP(t)）のＩ／Ｑ変調を実行する工程と、
送信されるべき変調されたＲＦ信号（x(t)）の反射波の出力電力レベルを表す信号を、自動出力制御（ＡＰＣ）ループ（２２０）を構成するために、前記直交送信器（２００ｂ）の電力制御入力ポートに選択的にフィードバックする工程と、
を備えることを特徴とする方法。
【請求項１１】
前記ＡＰＣループ（２２０）は、送信されるべき前記変調されたＲＦ出力信号(x(t))の前記出力電力レベル（px(t)）が、所定の名目値(P0)に達した場合に直ちに開放される（Ｓ４）ことを特徴とする請求項１０に記載の方法。
【請求項１２】
送信されるべき複素ベースバンド入力信号（xLP(t)）を複素ベースバンドから所望のＲＦバンドへアップコンバートするために利用される直交送信器（２００ｂ）によって生成された変調されたＲＦ信号(x(t))の電力レベル(Px(t))を制御するための電力制御回路であって、
前記電力制御回路（２２０）は、前記直交送信器（２００ｂ）のＩ／Ｑ変調器回路（２０６、２０８、２１０、２１２、２１４）が備えるＲＦ電力増幅ステージ（２０６）における自己消費電力損失を減少させるために特に構成され、
請求項１乃至１１のいずれか１項に記載の方法を実行するように設計されていることを特徴する電力制御回路。
【請求項１３】
送信されるべき複素ベースバンド入力信号（xLP(t)）を複素ベースバンドから所望のＲＦバンドへアップコンバートするために利用される直交送信器（２００ｂ）によって生成された変調されたＲＦ信号(x(t))の電力レベル(Px(t))を制御するための電力制御回路であって、
前記電力制御回路（２２０）は、前記直交送信器（２００ｂ）のＩ／Ｑ変調器回路（２０６、２０８、２１０、２１２、２１４）が備えるＲＦ電力増幅ステージ（２０６）における自己消費電力損失を減少させるために特に構成され、
前記複素アナログ・ベースバンド入力信号（xLP(t)）の同相及び直交のベースバンド成分（i(t)及びq(t)）で与えられる直交信号表現を、前記複素ベースバンド入力信号（xLP(t)）のマグニチュード（｜xLP(t)｜）と、位相（∠xLP(t)）とで与えられる極座標信号表現に変換する直交−極座標変換モジュール（２０８）と、
前記複素ベースバンド入力信号（xLP(t)）の前記マグニチュード（｜xLP(t)｜）を表す前記信号の狭帯域の高レベル成分（２２２）と、広帯域の低レベル成分（２２４）とを、並列に増幅し、前記狭帯域の高レベルマグニチュード成分（２２２）を、前記広帯域の低レベルマグニチュード成分（２２４）の電力レベルを安定化させるために利用する独立の増幅ステージ（２０２、２０４、２０６）と、
前記複素ベースバンド入力信号（xLP(t)）の前記位相情報（∠xLP(t)）で変調された位相変調された正弦波搬送信号（xP(t)）を、前記広帯域の低レベルマグニチュード成分（２２４）を表す電力の安定化されたアナログ信号（xMC(t)）で振幅変調することにより、送信されるべき変調されたＲＦ出力信号(x(t))を生成するために、前記極座標信号表現において、前記複素アナログ・ベースバンド入力信号（xLP(t)）のＩ／Ｑ変調を実行する振幅変調器（２１２）と
を備えることを特徴とする電力制御回路。
【請求項１４】
前記複素ベースバンド入力信号（xLP(t)）の前記広帯域の低レベルマグニチュード成分（２２４）の前記電力レベルを安定化させるために利用される制御信号を、差動増幅器（２０２）が供給するエラー信号によりＤＣ電力供給電圧（Vbat）を調整することにより生成するＤＣ／ＤＣコンバータ（２０４）を更に備え、
前記エラー信号は、前記差分増幅器（２０２）の非反転入力ポートに与えられる、前記複素ベースバンド入力信号（xLP(t)）の前記狭帯域の高レベルマグニチュード成分（２２２）と、送信されるべき変調されたＲＦ信号(x(t))の反射波の出力電力レベルを表す、前記差動増幅器（２０２）の反転入力ポートに与えられる信号との、増幅された差分信号として取得されることを特徴とする請求項１３に記載の電力制御回路。
【請求項１５】
前記複素ベースバンド入力信号（xLP(t)）の前記広帯域の低レベル成分（２２４）が供給され、前記制御信号に基づいて利得が制御される可変利得電力増幅器（２０６）を更に備えることを特徴とする請求項１４に記載の電力制御回路。
【請求項１６】
前記複素ベースバンド入力信号（xLP(t)）の前記位相情報（∠xLP(t)）で変調された位相変調された正弦波搬送信号（xP(t)）を、前記可変利得電力増幅器（２０６）の前記出力信号（xMC(t)）で振幅変調する少なくとも一つの更なる可変利得電力増幅器（２１２）であって、前記位相変調された搬送信号（xP(t)）が供給され、前記可変利得電力増幅器（２０６）の前記出力信号（xMC(t)）により利得制御される、少なくとも一つの更なる可変利得電力増幅器（２１２）を更に備えることを特徴とする請求項１５に記載の電力制御回路。
【請求項１７】
前記可変利得電力増幅器（２０６）の前記出力信号（xMC(t)）により利得制御される、直列に接続された可変利得電力増幅器（２１２、２１４）のカスケードを更に備え、
前記直列に接続された可変利得電力増幅器（２１２、２１４）の前記カスケードの最も上流の可変利得電力増幅器（２１２）には、前記複素ベースバンド入力信号（xLP(t)）の前記位相情報（∠xLP(t)）を搬送する位相変調された正弦波搬送信号（xP(t)）が供給される
ことを特徴とする請求項１５又は１６に記載の電力制御回路。
【請求項１８】
前記直列に接続された可変利得電力増幅器（２１２、２１４）の前記カスケードの少なくとも一つ（２１４）を、選択的にバイパスするためのスイッチ（Ｓ３）を備えることを特徴とする請求項１７に記載の電力制御回路。
【請求項１９】
バイパスされた前記電力増幅器（２１４）への前記利得制御信号（xMC(t)）を選択的に遮断するためのスイッチ（Ｓ２）を備えることを特徴とする請求項１８に記載の電力制御回路。
【請求項２０】
前記直列に接続された可変利得電力増幅器（２１２、２１４）の前記カスケードの少なくとも一つの可変利得電力増幅器（２１２）の前記利得制御信号（xMC(t)）を、選択的に弱めるための抵抗（Ｒ）に並列に接続されたバイパススイッチ（Ｓ１）を備えることを特徴とする請求項１７乃至１９のいずれか１項に記載の変調器。
【請求項２１】
移動体電話通信装置の直交送信器（２００ｂ）であって、請求項１３乃至２０のいずれか１項に記載の電力制御回路（２２０）を備えることを特徴とする前記直交送信器。
【請求項２２】
請求項２１に記載の直交送信器（２００ｂ）を備えることを特徴とする移動体電話通信装置。
【手続補正２】
【補正対象書類名】図面
【補正対象項目名】全図
【補正方法】変更
【補正の内容】
【図１ａ】
2006518955.tif 000001
【図１ｂ】
2006518955.tif 000002
【図２ａ】
2006518955.tif 000003
【図２ｂ】
2006518955.tif 000004